(57)【要約】【課題】処理内容選択用の操作釦とリセット釦との誤操作を無くす。処理内容選択用の操作釦を軽い力で操作する。リセット釦を強い力で操作する。【解決手段】本体ケース１の上面に設けた前下がり傾斜面８に処理内容選択用の操作釦９とリセット釦１０を設ける。処理内容選択用の操作釦９の操作面積をリセット釦１０の操作面積よりも大きくする。リセット釦１を操作するための操作力を処理内容選択用の操作釦９を操作するための操作力よりも大きくする。処理内容選択用の操作釦９を前下がり傾斜面８の前下部に配置する。リセット釦１０を前下がり傾斜面８の後上部に配置する。リセット釦１０を配置する前下がり傾斜面８の後上部の部分の傾斜を、処理内容選択用の操作釦９を配置する前下がり傾斜面８の前下部の部分の傾斜よりも緩やかな傾斜とする。【選択図】図１
2007196079.tif 000002
【特許請求の範囲】
【請求項１】
本体ケース内に原水を浄水にするための浄水カートリッジと、浄水カートリッジを通過した浄水を電解するための電解槽とを内装したアルカリイオン整水器において、浄水カートリッジを流れる流量を検出するための流量センサと、流量センサで検出した流量を積算する流量積算手段と、流量積算手段で積算した流量が所定流量に達すると浄水カートリッジの交換時であるとして報知する報知手段とを設け、本体ケースの上面に前側程下となるように傾斜した前下がり傾斜面を設け、該前下がり傾斜面に原水の処理内容を選択するための処理内容選択用の操作釦と、上記流量積算手段による流量の積算をリセットするためのリセット釦とを設け、上記リセット釦の指先で押して操作するための操作面積を処理内容選択用の操作釦の指先で押して操作するための操作面積よりも小さくすると共にリセット釦を操作するのに必要な操作力を処理内容選択用の操作釦を操作するのに必要な操作力よりも大きくし、上記処理内容選択用の操作釦を上記前下がり傾斜面の前下部に配置すると共に、上記リセット釦を上記前下がり傾斜面の後上部に配置し、上記リセット釦を配置する前下がり傾斜面の後上部の部分の傾斜を、上記処理内容選択用の操作釦を配置する前下がり傾斜面の前下部の部分の傾斜よりも緩やかな傾斜として成ることを特徴とするアルカリイオン整水器。
【請求項２】
前下がり傾斜面が弧面により構成してあることを特徴とする請求項１記載のアルカリイオン整水器。
【請求項３】
前下がり傾斜面を、前下がりに傾斜した平坦面よりなる前下部傾斜面と、前下部傾斜面よりも緩やかに傾斜した平坦面よりなる後上部傾斜面とで構成してあることを特徴とする請求項１記載のアルカリイオン整水器。
【発明の詳細な説明】
【技術分野】
【０００１】
本発明は、アルカリイオン整水器に関するものである。
【背景技術】
【０００２】
従来から原水を電解処理してアルカリイオン水や酸性水を生成するアルカリイオン整水器が知られている。
【０００３】
このアルカリイオン整水器は、特許文献１に示されるように、原水を浄水にするための浄水カートリッジと、浄水カートリッジを通過した浄水を電解するための電解槽と内部に設けた本体ケースの前面壁部に操作パネルを配置しているのが一般的である。
【０００４】
ところで従来のアルカリイオン整水器においては、本体ケースの前面壁部に設けた操作パネルに原水の処理内容を選択するための処理内容選択用の操作釦（すなわちアルカリイオン水を生成して吐出するアルカリイオン水用釦、酸性水を生成して吐出する酸性水用釦、電解処理をすることなく浄水カートリッジのみを通して原水を浄水して吐水する浄水用釦）と、浄水カートリッジを交換した際に浄水カートリッジ交換のための流量積算手段によるカウントのリセットするためのリセット釦を同一面に混在させて配置していた。なお、操作パネルに処理内容選択用の操作釦とリセット釦とを設けるのは、操作のための釦類を一箇所に集めることで、本体ケースの内部に配置する回路基板にこれらの釦により操作される操作スイッチをまとめて実装できるためである。
【０００５】
上記のような構成のアルカリイオン整水器は、流し台の上面の後部に載置されるのであるが、流し台の前方に立った人の目の位置から斜め前下方に位置しているため、上記従来例のように本体ケースの垂直な前面壁部に操作釦が配置してあると、見難くく、また、処理内容選択用の操作釦やリセット釦の操作方向が水平方向であるため、操作がし難いという問題があり、また、垂直な前面壁部の同一垂直面に日常的に頻繁に操作する処理内容選択用の操作釦と、約１年に１回程度浄水カートリッジの交換の際に操作するリセット釦の双方を配置してあるので、通常の使用の操作の際に、誤ってリセット釦を押してしまうことがある。
【０００６】
そこで、流し台の前方に立った人が見易いように本体ケースの上面前部を前ほど下となるように前下がりに傾斜した平坦な前下がり傾斜面とし、この平坦な前下がり傾斜面に処理内容選択用の操作釦とリセット釦を配置することも行なわれている。
【０００７】
このものは同一の傾斜角となった平坦な前下がり傾斜面に処理内容選択用の操作釦とリセット釦の双方を配置しているので、処理内容選択用の操作釦やリセット釦が流し台の前に立った使用者から見易くなるが、通常の使用の操作の際に、誤ってリセット釦を押してしまうことがある。
【０００８】
そこで、本発明者は本発明に至る過程で、リセット釦を日常の操作で誤って操作しないように、リセット釦を操作するための操作力を、処理内容選択用の操作釦を操作するための操作力よりも大きくし、通常の使用の際の軽い指の押圧力ではリセット釦を誤操作しないようにすることを考えた。
【０００９】
しかしながら、前述のアルカリイオン整水器の本体ケースの垂直な前面壁部に処理内容選択用の操作釦やリセット釦を配置した上記前者の従来例において、リセット釦を操作する操作するための操作力を、処理内容選択用の操作釦を操作するための操作力よりも大きくすると、リセット釦の操作方向が水平方向であるため、強い力でリセット釦を水平方向に押すと、アルカリイオン整水器が移動したり、転倒したりするおそれがあり、このため、リセット釦を操作するための操作力を、処理内容選択用の操作釦を操作するための操作力よりも大きくするということは採用し難い。
【００１０】
ところで、リセット釦を操作するために通常の操作力よりも大きな力で操作するに当たり、アルカリイオン整水器が移動したり、転倒したりするのを防止しながら操作するには、指を略下向きにして上方から下方に強い力で操作釦を押すようにすると、強い操作力がアルカリイオン整水器に上方から下方に伝えられてスムーズに流し台の上面に伝達できて、強い力で押してもアルカリイオン整水器が移動したり、転倒したりするのを防止しながらリセット釦を操作することができる。
【００１１】
ここで、一定の傾斜角度となった前下がり傾斜面に処理内容選択用の操作釦とリセット釦を設けた上記後者の従来例において、リセット釦を操作する操作するための操作力を、処理内容選択用の操作釦を操作するための操作力よりも大きくする場合につき検討すると、リセット釦を通常の操作力よりも大きな力で操作する際にアルカリイオン整水器が移動したり、転倒したりするのを防止しながら操作できるようにするには、できるだけ前下がり傾斜面を緩やかな傾斜にする必要がある。
【００１２】
一方、流し台の前に立った人が処理内容選択用の操作釦を操作するには、流し台の前に立った人が流し台の上面の後部に載置したアルカリイオン整水器の上面前部の前下がり傾斜面の処理内容選択用の操作釦を斜め前方に目視しながら、略目視方向に斜め前方に向けて腕を伸ばして腕を伸ばす方向にそのまま指を斜め前方に向けて軽く押す操作をするという動作が最も自然な操作であり、この自然な操作をするには前下がり傾斜面の垂直に対する角度が上記のようにあまり緩やかな傾斜では好ましくない。
【００１３】
つまり、リセット釦を強い力で操作するようにするには、流し台の前に立った人が流し台の上面の後部に載置したアルカリイオン整水器の上面前部の前下がり傾斜面を目視する方向が斜め前下方であるのに対し、リセット釦を強い力で操作する方向は指を下方に向けてできるだけ上から下に向けて操作するのが好ましいが、処理内容選択用の操作釦を軽い力で確実に操作するようにするには、流し台の前に立った人が流し台の上面の後部に載置したアルカリイオン整水器の上面前部の前下がり傾斜面を目視する方向（斜め前下方）と、指を斜め前下方に向けて処理内容選択用の操作釦を操作する方向（斜め前下方）とが略同方向となるようにするのが好ましい。
【００１４】
ところが、上記のように同一角度の平坦な前下がり傾斜面に処理内容選択用の操作釦とリセット釦との双方を配置した従来例においては、前下がり傾斜面の角度の設定に当たっていずれかの操作性を犠牲にしなければならず、双方の操作性を満足することはできない。
【００１５】
また、通常使用時の操作に当たってリセット釦を誤って操作しないように、リセット釦を指先では押すことができず、ピンのような特別な治具を用いて押すことでリセット操作ができるようにすることも考えられるが、このものはリセット操作に特別な治具が必要であり、また、リセット操作も面倒となり、更に、リセット釦が見え難くて浄水カートリッジ交換時にリセット操作を忘れるおそれもある。
【特許文献１】特開平９−２７１７７５号公報
【発明の開示】
【発明が解決しようとする課題】
【００１６】
本発明は上記の従来の問題点に鑑みて発明したものであって、処理内容選択用の操作釦とリセット釦との誤操作を無くし、流し台の前に立った人が処理内容選択用の操作釦を目視する方向と略同じ方向に指を向けて軽い力で操作することができて操作性を向上でき、また、リセット釦の操作に当たって強い力で操作しても移動したり、転倒したりするのを防止して確実に操作ができるアルカリイオン整水器を提供することを課題とするものである。
【課題を解決するための手段】
【００１７】
上記課題を解決するために本発明に係るアルカリイオン整水器は、本体ケース１内に原水を浄水にするための浄水カートリッジ２と、浄水カートリッジ２を通過した浄水を電解するための電解槽３とを内装したアルカリイオン整水器４において、浄水カートリッジ２を流れる流量を検出するための流量センサ５と、流量センサ５で検出した流量を積算する流量積算手段６と、流量積算手段６で積算した流量が所定流量に達すると浄水カートリッジ２の交換時であるとして報知する報知手段７とを設け、本体ケース１の上面に前側程下となるように傾斜した前下がり傾斜面８を設け、該前下がり傾斜面８に原水の処理内容を選択するための処理内容選択用の操作釦９と、上記流量積算手段６による流量の積算をリセットするためのリセット釦１０とを設け、上記リセット釦１０の指先で押して操作するための操作面積を処理内容選択用の操作釦９の指先で押して操作するための操作面積よりも小さくすると共にリセット釦１０を操作するのに必要な操作力を処理内容選択用の操作釦９を操作するのに必要な操作力よりも大きくし、上記処理内容選択用の操作釦９を上記前下がり傾斜面８の前下部に配置すると共に、上記リセット釦１０を上記前下がり傾斜面８の後上部に配置し、上記リセット釦１０を配置する前下がり傾斜面８の後上部の部分の傾斜を、上記処理内容選択用の操作釦９を配置する前下がり傾斜面８の前下部の部分の傾斜よりも緩やかな傾斜として成ることを特徴とするものである。
【００１８】
このように本体ケース１の上面に設けた前下がり傾斜面８に処理内容選択用の操作釦９、リセット釦１０を設けることで、流し台の前方に立った人が処理内容選択用の操作釦９、リセット釦１０を見易くなる。しかも、リセット釦１０の指先で押して操作するための操作面積を処理内容選択用の操作釦９の指先で押して操作するための操作面積よりも小さくすると共にリセット釦１０を操作するのに必要な操作力を処理内容選択用の操作釦９の操作をするのに必要な操作力よりも大きくしてあるので、日常的に使用する処理内容選択用の操作釦９の操作が軽い操作力で容易に行なえ、また、操作面積の大きい処理内容選択用の操作釦９を軽い力で操作する際にリセット釦１０に指が触れ難く且つ触れても軽い力では操作できずに誤操作を抑制でき、しかも、処理内容選択用の操作釦９を前下がり傾斜面８の前下部に配置すると共に、リセット釦１０を前下がり傾斜面８の後上部に配置し、リセット釦１０を配置する前下がり傾斜面８の後上部の部分の傾斜を、上記処理内容選択用の操作釦９を配置する前下がり傾斜面８の前下部の部分の傾斜よりも緩やかな傾斜としてあるので、処理内容選択用の操作釦９とリセット釦１０との配置位置が上下に異なるだけでなく、配置箇所の傾斜も異なるため、位置の違いと傾斜の違いとにより、処理内容選択用の操作釦９とリセット釦１０の誤操作が無くなる。また、リセット釦１０を配置した前下がり傾斜面８の後上部を、処理内容選択用の操作釦９を操作する前下がり傾斜面８の前下部よりも緩やかな傾斜としてあるので、流し台の前に立った人がリセット釦１０を強い力で操作するに当たって、指を下方に向けて上から下に向けて強い力でリセット釦１０を押し下げ操作することができ、これにより、指先で強い力で押し操作しても、該強い力は上から下に向けてアルカリイオン整水器４を伝わって流し台の上面で受けられ、アルカリイオン整水器４が移動したり、転倒したりすることがない。一方、処理内容選択用の操作釦９を配置した前下がり傾斜面８の前下部は上記リセット釦１０を配置した前下がり傾斜面８の上記緩やかな後上部よりも急な傾斜となるので、流し台の前に立った人が流し台の上面の後部に載置したアルカリイオン整水器４の上面の前下がり傾斜面８を目視する方向（斜め前下方）と、指を斜め前下方に向けて処理内容選択用の操作釦９を操作する方向（斜め前下方）とが略同方向となって、軽い力で確実に頻繁に使用する処理内容選択用の操作釦９を操作することができて、日常の使用に当たっての操作性が向上する。また、前下がり傾斜面８の前下部と後上部の傾斜が異なっているので、前下がり傾斜面８全体が同じ傾斜の場合に比べて面積が広く、余裕を持って処理内容選択用の操作釦９とリセット釦１０を配置でき、この点でも誤操作を防止できる。
【００１９】
また、前下がり傾斜面８が弧面８ａにより構成してあることが好ましい。
【００２０】
このような構成とすることで、前下がり傾斜面８全体の連続性を保持しながら処理内容選択用の操作釦９を配置する前下がり傾斜面８の前下部と、リセット釦１０を配置する後上部との傾斜を違わせることができる。
【００２１】
また、前下がり傾斜面８を、前下がりに傾斜した平坦面よりなる前下部傾斜面８ｂと、前下部傾斜面８ｂよりも緩やかに傾斜した平坦面よりなる後上部傾斜面８ｃとで構成してあることが好ましい。
【００２２】
このような構成とすることで、処理内容選択用の操作釦９を配置する前下部傾斜面８ｂと、リセット釦１０を配置する後上部傾斜面８ｃとを明確に区別できて、より誤操作を防止できる。
【発明の効果】
【００２３】
本発明は、流し台の前に立った人が斜め前下方を目視する際に処理内容選択用の操作釦とリセット釦が見易いと共に、処理内容選択用の操作釦とリセット釦との誤操作を無くすことができる。また、日常的に処理内容選択用の操作釦を操作するに当たり、流し台の前に立った人が処理内容選択用の操作釦を斜め前下方に目視する方向と略同じ斜め前下方に指を向けて指先で軽い力で操作することができ、日常的に行なう処理内容選択用の操作釦の操作性を向上できる。一方、リセット釦は、流し台の前に立った人が斜め前下方を目視しながら、指を下向きにして強い力で操作することになって、上から下に向けて操作するので、強い力で操作しても流し台の上面で支持できて、アルカリイオン整水器が移動したり、転倒したりするのを防止して確実に操作ができる。
【発明を実施するための最良の形態】
【００２４】
以下、本発明を添付図面に示す実施形態に基いて説明する。
【００２５】
アルカリイオン整水器４は、図５に示すように本体ケース１内に、内部配管１６、浄水カートリッジ２、電解質添加筒１８、電解槽３、制御部１９、スピーカ５７等を内装し、更に、図１乃至図３に示すように本体ケース１の上面部に操作部１４、表示部１５を備えた操作パネル１３を設けて構成してある。
【００２６】
図４に示すように内部配管１６は、給水配管１６ａと、排出配管１６ｂと、排水配管１６ｃとで構成してある。
【００２７】
電解槽３は、電解隔膜２０を介して第１の電極２１を備える第１の電極室２２と、第２の電極２３を備える第２の電極室２４とに区画されており、各電極室２２、２４にはそれぞれ流入部２５、２６、流出部２７、２８が設けてある。
【００２８】
給水配管１６ａは上流側端部が本体ケース１の外面部に設けた原水が供給される給水側接続部２９となっており、この給水配管１６ａの途中に中空糸膜のような浄化部材を内装した浄水カートリッジ２が取外し自在に設けてある。給水配管１６ａの浄水カートリッジ２を設けた部分より下流側に流量センサ５が設けてあり、給水配管１６ａは流量センサ５よりも下流側で第１の分岐流路１６ａ１と第２の分岐流路１６ａ２とに分岐し、第１の分岐流路１６ａ１の途中にカルシウムのような電解質を収納した電解質添加筒１８を設けると共に第１の分岐流路１６ａ１の下流側の端部を電解槽３の第１の電極室２２の流入部２５に接続してあり、第２の分岐流路１６ａ２は途中で更に第３の分岐流路１６ａ３、第４の分岐流路１６ａ４に分岐し、第３の分岐流路１６ａ３の下流側の端部を第２の電極室２４の流入部２６に接続してある。
【００２９】
排出配管１６ｂは上流側端部が第２の電極室２４の流出部２８に接続してあると共に下流側端部が本体ケース１の外面部に設けた排出側接続部３１に接続してある。
【００３０】
排水配管１６ｃは上流側端部が第１の電極室２２の流出部２７に接続してあると共に上流側端部が本体ケース１に設けた排水側接続部３２に接続してある。また排水配管１６ｃには上記第４の分岐流路１６ａ４の下流側端部が接続してあり、この第４の分岐流路１６ａ４は途中に絞り部４９が設けてある。
【００３１】
給水側接続部２９、排出側接続部３１、排水側接続部３２にはそれぞれ給水ホース１１の下流側端部、排出ホース１２の上流側端部、排水ホース３５の上流側端部が接続してある。
【００３２】
給水ホース１１の上流側端部、排出ホース１２の下流側端部はそれぞれ水道栓３６の吐出口３７に接続した切換え装置３８に設けた給水用接続口３９、排出用接続口４０に接続される。
【００３３】
図３、図４に示すように、切換え装置３８には切換レバー４１が設けてあり、切換レバー４１を操作して内部に設けた切換え弁（図示せず）を駆動して流路を切換えるようになっている。すなわち、水道栓３６を経て切換え装置３８に供給される原水（水道水）を切換え装置３８の下面部に設けた原水吐水口４２から直接吐水する原水吐水モードと、水道栓３６を経て切換え装置３８に供給される原水（水道水）を給水用接続口３９から給水ホース１１を介してアルカリイオン整水器４に供給し、アルカリイオン整水器４で水処理をして該水処理した処理水を排出ホース１２を介して排出用接続口４０から再び切換え装置３８に導入させて切換え装置３８の下面部に設けた処理水吐水口４３から吐水する処理水吐水モードとに切換えることができるようになっている。
【００３４】
切換レバー４１を処理水吐水モードに切換えた状態で、電解槽３に設けた第１の電極２１、第２の電極２３に電圧を印加することで、第１の電極室２２、第２の電極室２４のいずれか一方を陰極室としてアルカリイオン水を生成すると共にいずれか他方を陽極室として酸性イオン水を生成し、切換え装置３８の処理水吐水口４３からアルカリイオン水又は酸性水（弱酸性水）を吐水すると共に排水ホース３５から酸性水又はアルカリイオン水を排水するようになっている。また、切換レバー４１を処理水吐水モードに切換えた状態で、電圧を印加しない場合は原水を浄水カートリッジ２に通過させて浄化した浄化水を処理水吐水口４３から吐水するようになっている。
【００３５】
切換レバー４１を処理水吐水モードに切換えて処理水吐水口４３から処理水を吐水する場合、アルカリイオン整水器４により原水を処理する処理内容の選択は、複数の処理内容選択用の操作釦９（アルカリイオン水用釦９ａ、弱酸性イオン水用釦９ｂ、浄水用釦９ｃ）のいずれかを指先で押すことで選択する。すなわちアルカリイオン水用釦９ａ、弱酸性イオン水用釦９ｂ、浄水用釦９ｃのいずれかを選択して押すことで、該当する処理内容選択用の操作釦９に対応したスイッチ５２が操作されて該当するスイッチ５２から信号が制御部１９に入力され、制御部１９により第１の電極２１、第２の電極２３への電圧の印加あるいは非印加（浄水だけの場合は電圧は印加しないように制御される）、あるいは、第１の電極２１、第２の電極２３のどちらを陰極、陽極とするかの切り替え制御等が行われ、これにより原水を浄水カートリッジ２で浄水とした後に電解を行なってアルカリイオン水を処理水吐水口４３から吐水したり、あるいは、原水を浄水カートリッジ２で浄水とした後に電解を行なって弱酸性水を処理水吐水口４３から吐水したり、あるいは、原水を浄水カートリッジ２で浄水とした後に電解を行なうことなく浄水として処理水吐水口４３から吐水したりする。
【００３６】
上記のように水道栓３６を開にして切換レバー４１を処理水吐水モードに切換えてアルカリイオン整水器４に原水を流すと、浄水カートリッジ２を流れた流量が流量センサ５により計測され、この流量センサ５による計測データが制御部１９に入力され、制御部１９に設けた流量積算手段６により積算され、積算された流量があらかじめ設定してある設定流量に達すると表示部１５やスピーカ５７により構成される報知手段７が浄水カートリッジ２の交換が必要になったことが報知されるように制御部１９により制御される。
【００３７】
上記浄水カートリッジ２の交換が必要となったとの報知がなされると、使用者は浄水カートリッジ２の交換（浄水カートリッジ２にセットしたろ材を交換する場合も含む）をするのであるが、浄水カートリッジ２の交換が完了すると、使用者は後述のリセット釦１０を操作して上記流量積算手段６による積算のリセットを行なう。したがって、浄水カートリッジ２の交換の段階で再び積算流量ゼロの状態から流量が積算されることになる。
【００３８】
本体ケース１の上面には前側程下となるように傾斜した前下がり傾斜面８が設けてある。図１乃至図３に示す実施形態では、本体ケース１の上面が側断面が半円状をしており、上面の前半部が前側程下となるように傾斜した前下がり傾斜面８となっている例が示してある。この前下がり傾斜面８は本体ケース１の上面の前半部に断面弧状をした操作パネル１３を取付けることで操作パネル１３自体で前下がり傾斜面８を構成している。
【００３９】
本体ケース１の上面に設けた前側程下となるように傾斜した前下がり傾斜面８（実施形態では前下がり傾斜するように設けられた操作パネル１３）にはアルカリイオン整水器４の操作を行うための操作部１４と、報知手段７を構成する文字や図形を表示する液晶表示部のような表示部１５が設けてある。
【００４０】
ここで、上記操作部１４には、指先で直接押して操作するようになった複数のスイッチ操作用の釦Ａが設けてある。スイッチ操作用の釦Ａとしては、上記した原水の処理内容を選択するための処理内容選択用の操作釦９、流量積算手段６による流量のカウントをリセットするためのリセット釦１０があり、その他に音声ガイドのオン、オフを行なう音声釦５３、電解強さ調整釦５４、音量調整釦５５、継続用釦５６等がある。また、上記スイッチ操作用の釦Ａのうち原水の処理内容を選択するための処理内容選択用の操作釦９としては、図１、図５に示すように、アルカリイオン水用釦９ａ（なお、図１、図５の実施形態ではアルカリイオン水用釦９ａとしてはｐＨの異なる複数種類のアルカリイオン水の生成を選択できるように複数設けてある）、弱酸性イオン水用釦９ｂ、浄水用釦９ｃがある。
【００４１】
リセット釦１０の指先で押して操作するための操作面の面積（操作面積）は、処理内容選択用の操作釦９（アルカリイオン水用釦９ａ、弱酸性イオン水用釦９ｂ、浄水用釦９ｃ）は指先で押して操作するための操作面の面積（操作面積）よりも小さくなっており、また、リセット釦１０を操作するのに必要な操作力は、処理内容選択用の操作釦９（アルカリイオン水用釦９ａ、弱酸性イオン水用釦９ｂ、浄水用釦９ｃ）を操作するための操作力よりも大きく設定してある。言い換えれば、処理内容選択用の操作釦９は指先で軽く押すだけで（つまり軽い力で）操作でき、リセット釦１０は指先で強く押さなければ（つまり強い力で押さなければ）操作できないようになっている。
【００４２】
上記処理内容選択用の操作釦９（アルカリイオン水用釦９ａ、弱酸性イオン水用釦９ｂ、浄水用釦９ｃ）は上記前下がり傾斜面８の前下部に配置してあり、一方、上記リセット釦１０は前下がり傾斜面８の後上部に配置してある。上記リセット釦１０を配置する前下がり傾斜面８の後上部の部分の傾斜（図２において傾斜線Ｍで示す）が、上記処理内容選択用の操作釦９（アルカリイオン水用釦９ａ、弱酸性イオン水用釦９ｂ、浄水用釦９ｃ）を配置する前下がり傾斜面８の前下部の部分の傾斜（図２において傾斜線Ｎで示す）よりも緩やかな傾斜となっている。つまり、図２において垂直線Ｌに対する傾斜線Ｍのなす角度αが、垂直線Ｌに対する傾斜線Ｎのなす角度βよりも大きくなっている。
【００４３】
操作パネル１３は合成樹脂製の操作パネル本体１３ａの表面に合成樹脂製の表面シート１３ｂを貼着して構成してある。操作パネル本体１３ａには上記した各スイッチ操作用の釦Ａの押釦部Ａ１が設けてあり、図５（ｂ）に示すように操作パネル本体１３ａにスリット５０を設けることでスリット５０に囲まれた部分に押釦部Ａ１と、一端部が押釦部Ａ１に一体に接続され且つ他端部が操作パネル本体１３ａに一体に接続された弾性を有する腕部Ａ２とを形成してあり、押釦部Ａ１は腕部Ａ２を介して操作パネル本体１３ａに一体化してあり、また、各押釦部Ａ１の後端は図２に示すように回路基板５１に実装した各スイッチ５２に近接対向している。表面シート１３ｂには各押釦部Ａ１の上面に対応して各釦名を表示する釦名表示部Ａ３が設けてある。そして、本実施形態では各スイッチ操作用の釦Ａは、押釦部Ａ１と、押釦部Ａ１に弾性力を付与するための腕部Ａ２と、押釦部Ａ１の表面を覆う釦名表示部Ａ３とで構成してある。ここで、押釦部Ａ１の表面及び釦名表示部Ａ３が操作面を構成しており、リセット釦１０の操作面の面積が処理内容選択用の操作釦９の操作面の面積よりも小さくなっている。
【００４４】
そして各釦名表示部Ａ３を介して対応する押釦部Ａ１を指先で押すことで押釦部Ａ１の後端により対応するスイッチ５２を押し操作するようになっている。この実施形態においては、上記腕部Ａ２が弾性を有していて腕部Ａ２の長さが長いと軽い操作力で押釦部Ａ１を押して対応するスイッチ５２を操作でき、腕部Ａ２の長さが短いと強い操作力で押釦部Ａ１を押さないと対応するスイッチ５２を操作できないようになっている。そして、図５に示す実施形態では、処理内容選択用の操作釦９の押釦部Ａ１を操作パネル本体１３ａに連接する腕部Ａ２が、リセット釦１０の押釦部Ａ１を操作パネル本体１３ａに連接する腕部Ａ２よりも長いため、処理内容選択用の操作釦９の押釦部Ａ１は軽い操作力で操作でき、リセット釦１０はこれよりも強い大きな力でなければ操作できないようになっている。
【００４５】
ここで、本発明においては、上記のように、本体ケース１の上面に設けた前下がり傾斜面８に処理内容選択用の操作釦９、リセット釦１０を設けたのは、流し台の前方に立った人が斜め前下方を見た際に、処理内容選択用の操作釦９、リセット釦１０を見易くするためである。
【００４６】
しかも、リセット釦１０の指先で押して操作するための操作面積を処理内容選択用の操作釦９の指先で押して操作するための操作面積よりも小さくすると共にリセット釦１０を操作するのに必要な操作力を処理内容選択用の操作釦９の操作をするのに必要な操作力よりも大きくしてあるので、日常的に使用する操作面積の大きい処理内容選択用の操作釦９の操作が軽い操作力で容易に行なえ、また、操作面積の大きい処理内容選択用の操作釦９を軽い力で操作する際に操作面積の小さいリセット釦１０に指が振れ難く、しかも触れても軽い操作力では操作できずに誤操作しないようになっている。
【００４７】
また、リセット釦１０を配置する前下がり傾斜面８の後上部の傾斜を、処理内容選択用の操作釦９配置する前下がり傾斜面８の前下部の傾斜よりも緩やかな傾斜としてあるので、配置位置の違いと傾斜の違いとにより、見ただけで処理内容選択用の操作釦９とリセット釦１０との誤操作防止が図れると共に、処理内容選択用の操作釦９とリセット釦１０との操作に必要な力と操作方向との違いによりよりいっそう誤操作防止が図れる。また、リセット釦１０を配置する前下がり傾斜面８の後上部の傾斜が緩やかな傾斜となっているため、流し台の前に立った人がリセット釦１０を強い力で操作するに当たって、指を略下方に向けて上から下に向けて強い力でリセット釦１０を押し下げ操作することができ、これにより、指先で強い力で押し操作しても、該強い力は上から下に向けてアルカリイオン整水器４を伝わって流し台の上面で受けられ、アルカリイオン整水器４が移動したり、転倒しないようにできる。
【００４８】
なお、リセット釦１０は上記のように強い操作力で押し操作するだけでなく、数秒（例えば３秒）押し続けなければ流量積算手段６がリセットされないように設定しておくと、誤って一瞬強い力でリセット釦１０を押しても流量積算手段６がリセットされず、いっそう誤操作を防止できる。
【００４９】
一方、処理内容選択用の操作釦９を配置した前下がり傾斜面８の前下部は上記リセット釦１０を配置した前下がり傾斜面８の上記緩やかな後上部よりも急な傾斜となるので、流し台の前に立った人が流し台の上面の後部に載置したアルカリイオン整水器４の上面前部の前下がり傾斜面８を目視する方向（斜め前下方）と、指を斜め前下方に向けて処理内容選択用の操作釦９を操作する方向（斜め前下方）とが略同方向となって、軽い力で確実に頻繁に使用する処理内容選択用の操作釦９を操作することができて、日常の使用に当たっての操作性が向上する。また、前下がり傾斜面８の前下部と後上部の傾斜が異なっているので、前下がり傾斜面８全体が同じ傾斜の場合に比べて面積が広く、余裕を持って処理内容選択用の操作釦９とリセット釦１０を配置でき、この点でも誤操作を防止できる。
【００５０】
図１乃至図３に示す実施形態においては前下がり傾斜面８が円弧のような弧面８ａにより構成してあり、前下がり傾斜面８全体の連続性を保持しながら処理内容選択用の操作釦９を配置する前下がり傾斜面８の前下部と、リセット釦１０を配置する後上部との傾斜を違わせることができる。
【００５１】
図６には本発明の他の実施形態が示してあり、前下がり傾斜面８を、前下がりに傾斜した平坦面よりなる前下部傾斜面８ｂと、前下部傾斜面８ｂよりも緩やかに傾斜した平坦面よりなる後上部傾斜面８ｃとで構成してあり、この実施形態においては、処理内容選択用の操作釦９を配置する前下部傾斜面８ｂと、リセット釦１０を配置する後上部傾斜面８ｃとを明確に区別できて、より誤操作を防止できるものである。
【図面の簡単な説明】
【００５２】
【図１】本発明のアルカリイオン整水器の一実施形態を示し、（ａ）は正面図であり、（ｂ）は側面図であり、（ｃ）は平面図である。
【図２】同上の側面断面図である。
【図３】同上の概略構成図である。
【図４】同上の配管図である。
【図５】（ａ）（ｂ）は同上の操作パネルの正面図及び一部破断した正面図である。
【図６】本発明のアルカリイオン整水器の他の実施形態を示し、（ａ）は正面図であり、（ｂ）は側面図である。
【符号の説明】
【００５３】
１  本体ケース
２  浄水カートリッジ
３  電解槽
４  アルカリイオン整水器
５  流量センサ
６  流量積算手段
７  報知手段
８  前下がり傾斜面
８ａ  前下部傾斜面
８ｂ  後上部傾斜面
９  処理内容選択用の操作釦
１０  リセット釦
【図１】
2007196079.tif 000003
【図２】
2007196079.tif 000004
【図３】
2007196079.tif 000005
【図４】
2007196079.tif 000006
【図５】
2007196079.tif 000007
【図６】
2007196079.tif 000008